(57)【要約】      （修正有）【課題】屋外に設置される電気機器収納用箱体において、外観の体裁が良好で、雨水浸水防止用のパッキンの反発力に対して、容易に扉を閉めることができる電気機器収納用箱体を提供する。【解決手段】電気機器収納用箱体の本体１０には、本体背面方向Ａの方向へ、傾斜する傾斜部材１６と、扉２０に当接する面には、雨水浸入防止用のパッキン１２とを備え、扉２０の内郭側面には、傾斜部材１６に対向する位置に可動ボルト１５を備えた器具１８と、可動ボルト１５を締め付けるためのドライバの差し込み穴である開口部１９を備えている。【選択図】図１
2006269877.tif 000002
【特許請求の範囲】
【請求項１】
外周部にパッキンが配置された開口部を備えた本体と、前記本体の側端部に配設された扉蝶番を軸に開閉する扉とを備えた電気機器収納用箱体において、前記本体の前記扉蝶番の反対となる側端部に配設され傾斜面を備えた傾斜部材と、前記扉の前記傾斜部材の対向する部分に配設された可動ボルトとを備え、前記可動ボルトの締め付けにより、前記可動ボルトの先端部が前記傾斜部材に接触し前記傾斜面に沿って移動することを特徴とする電気機器収納用箱体。
【請求項２】
前記可動ボルトを複数備えたことを特徴とする請求項１記載の電気機器収納用箱体。
【発明の詳細な説明】
【技術分野】
【０００１】
本発明は、屋外に設置される配電盤、分電盤などの電気機器収納用箱体に関し、特に雨水などから内部の電気回路を守るための扉の水密構造に関するものである。
【背景技術】
【０００２】
従来、屋外で設置される配電盤や分電盤などの電気機器収納用箱体は、保守のため、前面に扉が設けられている。
【０００３】
また、このような電気機器収納用箱体は、雨水の浸入を防止する目的で、扉または本体の外周に本体内部への雨水浸入を防止する目的でウレタン発泡やシリコン等のパッキンが設けられている。
【０００４】
また、近年では、本体内部に配設される電気機器の取り付けスペースの拡大を図りながら、正面から見た外観の体裁の向上を図る技術が公開されている（例えば、特許文献１）。
【０００５】
図６は、このような電気機器収納用箱体を示す斜視図であり、図に示されるように、電気機器収納用箱体１は、雨水浸入防止用のパッキン（図示せず）を備え電気機器が収納された本体５と、本体５の開口部を覆う扉２と、扉２の一側端部の所望の箇所に設けた扉蝶番（図示せず）と、扉蝶番が設けられていない側の側面部７の中央に配設された平面ハンドル３と、扉２につまみ４とを備えたものである。
【０００６】
以上の構成により、本体５と扉２が嵌合する際、雨水防止用のパッキンと扉２が密着することにより、浸水防止を図ることができるとともに、平面ハンドル３が、本体５の側面部７に設けられているため、本体５の内部における回路基板等の電気機器の取り付けスペースが拡大され、更に、扉２の前面から見た外観の体裁も良好になるというものである。
【特許文献１】特開２０００−３１６２０８号公報
【発明の開示】
【発明が解決しようとする課題】
【０００７】
しかしながら、上記技術は、比較的小型の電気機器収納用箱体においては有効であるが、大型の電気機器収納用箱体においては、雨水浸入防止用のパッキンが大きくなり、パッキン圧縮時の反発力が大きくなるため、平面ハンドルの操作時に大きな力を必要とし、メンテナンス時の作業性が悪いという課題がある。
【０００８】
このような課題に対する対応としては、平面ハンドルを複数設けることも考えられるが、平面ハンドル自体が特殊な部品であるため、コストが高くなるという新たな課題が発生する。
【０００９】
本発明は前記課題に鑑み、外観の体裁が良好であることに加え、扉を閉める際、大きな力を必要とすることなく容易に閉めることができ、大型の電気機器収納用箱体においても水密構造を安価に実現することができる電気機器収納用箱体を提供することを目的とする。
【課題を解決するための手段】
【００１０】
上記目的を達成するために、請求項１記載の発明は、外周部にパッキンが配置された開口部を備えた本体と、前記本体の側端部に配設された扉蝶番を軸に開閉する扉とを備えた電気機器収納用箱体において、前記本体の前記扉蝶番の反対となる側端部に配設された傾斜部材と、前記扉の前記傾斜部材の対向する位置に配設された可動ボルトとを備え、前記可動ボルトの締め付けにより、前記可動ボルトの先端部が前記傾斜部材に接触し前記傾斜部材の傾斜面に沿って移動する電気機器収納用箱体である。
【００１１】
係る構成によれば、扉を本体に嵌合させる際、雨水浸入防止用のパッキンの圧縮力が傾斜部材の傾斜面により可動ボルトの回転力に変換され、傾斜部材の傾斜面の角度及び可動ボルトのストロークにより回転力を軽減させることができるため、容易に扉を閉めることが可能となる。
【００１２】
また、外観上、突出する部分がないため、体裁が良好である。
【００１３】
また、請求項２記載の発明は、請求項１記載の発明において、前記可動ボルトを複数備えている電気機器収納用箱体である。
【００１４】
係る構成によれば、大型の電気機器収納用箱体におけるパッキン圧縮時の反発力により扉が変形してしまうような場合においても、本体と扉を固定する可動ボルトのピッチを狭くし、複数設けることで、扉の変形を防ぐことができるとともに、安価に浸水防止を図ることができる。
【発明の効果】
【００１５】
本発明の電気機器収納用箱体によれば、外観の体裁が良好で、さらに扉への部品取付スペースが拡大すると共に扉を閉める際に生じる雨水浸入防止用のパッキンの反発力に対し、容易に扉を閉めることができる。
【００１６】
また、大型の電気機器収納用箱体においても、パッキン圧縮時の反発力の増加を可動ボルトを複数設けることにより対応できるため、安価に浸水防止を図ることができる。
【発明を実施するための最良の形態】
【００１７】
本発明の実施の形態について図面を参照しながら説明する。
【００１８】
図１は、本発明の電気機器収納用箱体に係る扉と本体の水密構造を示す要部断面図である。
【００１９】
図１に示されるように、本発明の電気機器収納用箱体は、本体１０の側端部に、本体背面方向Ａの方向へ、傾斜する金属製の傾斜部材１６と、扉２０に当接する面には、雨水浸入防止用のパッキン１２とを備え、扉２０の内郭側面には、傾斜部材１６に対向する位置に可動ボルト１５を備えた器具１８と、器具１８には可動ボルト１５の相手側となるナット１１と、可動ボルト１５を締め付けるためのドライバの差し込み穴である開口部１９を備えている。
【００２０】
図２は、図１の構成においての扉２０と本体１０の封鎖状態を示す要部断面図であり、図に示されるように、開口部１９にドライバ（図示せず）を差し込み、可動ボルト１５を締め付けると可動ボルト１５の先端部１５ａは傾斜部材１６の傾斜面１６ａに接触し、さらに可動ボルト１５を締め付けると、可動ボルト１５の先端部１５ａが傾斜面１６ａに圧力を加えながら矢印Ｂの方向へ移動し、可動ボルト１５の先端部１５ａの移動に伴い扉２０も本体背面方向Ａの方向に移動し、パッキン１２が圧縮され、扉２０により本体１０の開口部が封鎖される。
【００２１】
以上述べた構成によれば、パッキン１２の圧縮時の反発力が傾斜部材１６の傾斜面１６ａにより可動ボルトの回転力に変換され、傾斜面１６ａの角度及び可動ボルト１５のストロークにより回転力を軽減することができるため、容易に扉２０を閉めることが可能となる。
【００２２】
図３は、本発明の電気機器収納用箱体を示す斜視図である。
【００２３】
図３に示されるように、本発明の電気機器収納用箱体３０は、内部に電気機器２５などを備えた本体１０と、扉２０とを備え、本体１０と扉２０とは、複数の扉蝶番２２を回転軸とし開閉され、更に、本体１０の扉蝶番２２と反対となる側端部には、図１で説明した水密構造が複数設けられており、扉２０を閉めた後、ドライバにより、可動ボルト(図示せず)を締め付けることにより、図４に示されるような外観上突出部が無く体裁が良い電気機器収納用箱体３０になる。
【００２４】
また、このような体裁が良いという外観上の特徴は、図５に示されるような、扉５２の正面に液晶やＬＥＤ発光体により表示部５３を設けた電気機器収納用箱体５０においては、特に効果が大きい。
【００２５】
以上詳細に説明したように、本発明の電気機器収納用箱体によれば、容易に扉を閉めることができ、また外観上、突出する部分がなく体裁も良好な電気機器収納用箱体を得ることができる。
【００２６】
また、大型の電気機器収納用箱体においても、パッキン圧縮時の反発力を可動ボルトを複数設けることにより対応できるため、安価に浸水防止を図ることができる。
【産業上の利用可能性】
【００２７】
本発明は、屋外に設置される電気機器収納用箱体の水密構造に有用な技術である。
【図面の簡単な説明】
【００２８】
【図１】本発明の電気機器収納用箱体に係る扉と本体の水密構造を示す要部断面図
【図２】本発明の電気機器収納用箱体に係る扉と本体の封鎖完了状態を示す要部断面図
【図３】本発明の電気機器収納用箱体の扉を開けた場合を示す斜視図
【図４】本発明の電気機器収納用箱体の斜視図
【図５】本発明の表示部を備えた電気機器収納用箱体を示す斜視図
【図６】従来の電気機器収納用箱体の斜視図
【符号の説明】
【００２９】
１、３０、５０  電気機器収納用箱体
２、２０  扉
【図１】
2006269877.tif 000003
【図２】
2006269877.tif 000004
【図３】
2006269877.tif 000005
【図４】
2006269877.tif 000006
【図５】
2006269877.tif 000007
【図６】
2006269877.tif 000008